(57)【要約】【課題】壁面に沿って設けられるカウンター内部に配置される水栓装置を高さ方向で薄くすることができる水栓装置を提供する。【解決手段】本発明は、壁面に沿って設けられるカウンター内部に配置される水栓装置１であって、給水源から水を供給する給水路６と、給湯源から湯を供給する給湯路８と、給水路と給湯路とに接続され、湯と水を混合できる温調機能部１０と、温調機能部から流出する温調水を吐水する吐水部１４と、吐水部からの温調水の吐水と止水とを切り替える吐止水制御部１６と、温調機能部から吐止水制御部まで延びる第１流路１８と、吐止水制御部から吐水部まで延びる第２流路２０と、を備え、第１流路１８と、第１流路が交差するような高さに配置されている第２流路２０とが、互いの内部流路を区別したまま交差する流路交差部４０を形成することを特徴としている。【選択図】図５
2019148061.tif 000002
【特許請求の範囲】
【請求項１】
壁面に沿って設けられるカウンター内部に配置される水栓装置であって、
給水源から水を供給する給水路と、
給湯源から湯を供給する給湯路と、
上記給水路と上記給湯路とに接続され、湯と水を混合できる温調機能部と、
上記温調機能部から流出する温調水を吐水する吐水部と、
上記吐水部からの温調水の吐水と止水とを切り替える吐止水制御部と、
上記温調機能部から上記吐止水制御部まで延びる第１流路と、
上記吐止水制御部から上記吐水部まで延びる第２流路と、を備え、
上記第１流路と、上記第１流路が交差するような高さに配置されている上記第２流路とが、互いの内部流路を区別したまま交差する流路交差部を形成することを特徴とする水栓装置。
【請求項２】
上記流路交差部は、自身の外側と区画された内側の上記第１流路を形成する第１部材を、上記第２流路を形成する第２部材に、挿入することにより形成される、請求項１に記載の水栓装置。
【請求項３】
上記流路交差部は、上記第１部材と上記第２部材との接触部をシールする第１シールと第２シールとの間において上記第１部材と上記第２部材とにより上記第２流路を区画し、上記第１部材内の上記第１流路と区別する、請求項２に記載の水栓装置。
【請求項４】
上記第１部材は、上記第２部材に先に挿入される先端側において上記第１シールを支持する第１シール支持部と、上記第１シール支持部よりも後に挿入される後端側において上記第２シールを支持する第２シール支持部とを備え、上記第１シール支持部は、上記第２シール支持部よりも外径が小さくなるように形成される、請求項３に記載の水栓装置。
【請求項５】
上記第１部材は、少なくとも上記第２流路を外側に区画する部分において円管状に形成される、請求項２に記載の水栓装置。
【請求項６】
上記第１部材は、樹脂により形成される、請求項２乃至５の何れか１項に記載の水栓装置。
【請求項７】
上記流路交差部は、上記第１流路を、上記第２流路の内側に配置することにより形成される、請求項２乃至６の何れか１項に記載の水栓装置。
【請求項８】
上記第２部材は、横方向に延びる横流路と、下方向に延びる縦流路とを備え、上記流路交差部は、上記第２部材の上記横流路から上記縦流路に曲がる上記第２流路の屈曲部を形成する、請求項２乃至７の何れか１項に記載の水栓装置。
【請求項９】
上記吐水部は、上面視で上記温調機能部と上記吐止水制御部との間に配置される、請求項１乃至８の何れか１項に記載の水栓装置。
【請求項１０】
さらに、上記カウンターの上面を形成するカバーを備え、上記吐水部は、上面視で上記カバーの上面の中央よりも前方に配置される、請求項１乃至９の何れか１項に記載の水栓装置。
【発明の詳細な説明】
【技術分野】
【０００１】
本発明は、水栓装置に係り、特に、壁面に沿って設けられるカウンター内部に配置される水栓装置に関する。
【背景技術】
【０００２】
特許文献１に示すように、従来、壁面に沿って設けられるカウンター内部に配置される水栓装置が知られている。図７に示すように、このような水栓装置１０１は、水を供給する給水路である水供給管１０６と、湯を供給する給湯路である湯供給管１０８と、湯と水を混合できる機能を有する温調機能部１１０と、温調機能部１１０から延びる第１流路１１４と、水の流量を調節する機能を有する流量調整部１１６と、カラン用タッチ操作部１２６と、シャワー用タッチ操作部１２８と、水を下方に吐水するカラン吐水部１３０と、カラン用タッチ操作部１２６からカラン吐水部１３０まで延びる第２流路１３２とを備えている。このようなカウンター内部に配置される水栓装置１０１において、第１流路１１４と、第２流路１３２とは３次元的に高さ方向にずれるように配置され、それぞれの機能部間の流路を形成している。
【先行技術文献】
【特許文献】
【０００３】
【特許文献１】特開２０１７−３１６８９号公報
【発明の概要】
【発明が解決しようとする課題】
【０００４】
近年、特許文献１に示すような水栓装置１０１を収容するカウンターを箱型に形成し且つその高さを薄くしたいという要請がある。そこで本発明の発明者は水栓装置１０１を薄型化するために、第１流路１１４と、第２流路１３２とを高さ方向にずれないように配置することを検討した。
しかしながら、第１流路１１４と、第２流路１３２とを高さ方向にずれないように配置しようとする場合、第２流路１３２の下流端で下方に吐水するカラン吐水部１３０を設けることができる場所が制限されるという問題があった。一方で、カラン吐水部１３０を自由な位置に設けようとすれば、第１流路１１４と、第２流路１３２とを高さ方向にずれるように配置する必要があり、カウンターの高さを薄くすることができないという問題があった。
【０００５】
そこで、本発明は、従来技術の問題や課題を解決するためになされたものであり、壁面に沿って設けられるカウンター内部に配置される水栓装置を高さ方向で薄くすることができる水栓装置を提供することを目的としている。
【課題を解決するための手段】
【０００６】
上記の目的を達成するために、本発明は、壁面に沿って設けられるカウンター内部に配置される水栓装置であって、給水源から水を供給する給水路と、給湯源から湯を供給する給湯路と、上記給水路と上記給湯路とに接続され、湯と水を混合できる温調機能部と、上記温調機能部から流出する温調水を吐水する吐水部と、上記吐水部からの温調水の吐水と止水とを切り替える吐止水制御部と、上記温調機能部から上記吐止水制御部まで延びる第１流路と、上記吐止水制御部から上記吐水部まで延びる第２流路と、を備え、上記第１流路と、上記第１流路が交差するような高さに配置されている上記第２流路とが、互いの内部流路を区別したまま交差する流路交差部を形成することを特徴としている。
このように構成された本発明においては、壁面に沿って設けられるカウンター内部に配置される水栓装置の流路交差部において、第１流路と、第１流路が交差するような高さに配置されている第２流路とが、互いの内部流路を区別したまま交差することができる。これにより、第１流路及び第２流路の何れかが高さを変えて互いに交差するために必要となる水栓装置内の高さ方向のスペースを削減することができる。従って、本発明によれば、壁面に沿って設けられるカウンター内部に配置される水栓装置を高さ方向で薄くすることができると共にカウンターを高さ方向で薄くすることができる。
【０００７】
本発明において、好ましくは、流路交差部は、自身の外側と区画された内側の上記第１流路を形成する第１部材を、上記第２流路を形成する第２部材に、挿入することにより形成される。
このように構成された本発明においては、流路交差部は、自身の外側と区画された内側の第１流路を形成する第１部材を、第２流路を形成する第２部材に挿入することにより形成される。よって、流路交差部を、鋳物で成形することにより厚みが増大することを防ぎ、樹脂で成形することにより厚みを薄く形成することができる。従って、本発明によれば、カウンター内部に配置される水栓装置を高さ方向で薄くすることができる。また、流路交差部を樹脂により比較的簡単に形成することができる。
【０００８】
本発明において、好ましくは、上記流路交差部は、上記第１部材と上記第２部材との接触部をシールする第１シールと第２シールとの間において上記第１部材と上記第２部材とにより上記第２流路を区画し、上記第１部材内の上記第１流路と区別する。
このように構成された本発明においては、流路交差部は、第１部材と第２部材との接触部をシールする第１シールと第２シールとの間において第１部材と第２部材とにより第２流路を区画し、第１部材内の第１流路と区別する。これにより、流路交差部を第１部材と第２部材との組合せにより比較的簡単に形成し、流路交差部において第１流路が、第１流路が交差するような高さに配置されている第２流路と、互いの内部流路を区別したまま交差することができる。
【０００９】
本発明において、好ましくは、上記第１部材は、上記第２部材に先に挿入される先端側において上記第１シールを支持する第１シール支持部と、上記第１シール支持部よりも後に挿入される後端側において上記第２シールを支持する第２シール支持部とを備え、上記第１シール支持部は、上記第２シール支持部よりも外径が小さくなるように形成される。
このように構成された本発明においては、第１部材の先に挿入される先端側の第１シール支持部は、後端側の第２シール支持部よりも外径が小さくなるように形成されているので、第１シール及び第２シールを伴った状態で第１部材を第２部材に挿入する組立時の組立性を向上することができる。また、第１シールを支持する第１シール支持部は、第２シール支持部よりも外径が小さくなるように形成される。これにより、第１シール支持部により支持される第１シールが第２部材内に挿入される際に、第１シールが第２部材と破損やねじれを生じるような意図しない接触をして、第１シールが破損やねじれを生じ、第１シールが適切な状態で設置されなくなることを抑制することができる。
【００１０】
本発明において、好ましくは、上記第１部材は、少なくとも上記第２流路を外側に区画する部分において円管状に形成される。
このように構成された本発明においては、第１部材は、少なくとも第２流路を外側に区画する部分において円管状に形成される。これにより、第１部材内の第１流路の温調水と、吐止水制御部の下流側の第２流路の温調水との圧力差により、第１部材に応力がかかる場合においても、第１部材に比較的均等に応力がかかり、第１部材が破損することを抑制することができる。このように、第１部材を円管状に形成することにより、仮に第１部材が角を有する異形配管に形成される場合にこの角に応力が集中して第１部材が破損するという事象が生じることを防ぐことができる。
【００１１】
本発明において、好ましくは、上記第１部材は、樹脂により形成される。
このように構成された本発明においては、第１部材が、樹脂により形成されることにより、水栓装置をより安価に製造することができる。
【００１２】
本発明において、好ましくは、上記流路交差部は、上記第１流路を、上記第２流路の内側に配置することにより形成される。
このように構成された本発明においては、仮に流路交差部において第１流路と第２流路との交差部分が破損したとしても、水は一次側流路である第１流路から第２流路を介して吐水部に流れる。よって、流路交差部における交差部分が破損した場合に、水が止水不良として吐水部から流出されることができ、水が漏水として第２流路以外の水栓装置内に流出されることを抑制することができる。
【００１３】
本発明において、好ましくは、上記第２部材は、横方向に延びる横流路と、下方向に延びる縦流路とを備え、上記流路交差部は、上記第２部材の上記横流路から上記縦流路に曲がる上記第２流路の屈曲部を形成する。
このように構成された本発明においては、流路交差部が第２流路の屈曲部を形成することができるので、流路交差部とは別に流路を横方向から下方向に曲げる曲がり配管を設ける必要をなくすことができる。よって、流路交差部を通過する水の圧力損失に加えて別途曲がり配管の圧力損失を受ける場合に比べて、流路交差部において第２流路が屈曲でき、第２流路の圧力損失を低減することができる。
【００１４】
本発明において、好ましくは、上記吐水部は、上面視で上記温調機能部と上記吐止水制御部との間に配置される。
このように構成された本発明においては、水栓装置に流路交差部が形成されることにより、薄型のカウンターにおいて、吐水部を、上面視で温調機能部と吐止水制御部との間に配置することができる。よって、吐水部を、温調機能部と吐止水制御部との間の水栓装置の比較的中央の領域に設けることができ、使用者が洗面器を左右の壁面や浴槽等の構造物に干渉しない状態で吐水部の下に配置しやすくすることができ、使用者の吐水部の使い勝手を向上させることができる。
【００１５】
本発明において、好ましくは、さらに、上記カウンターの上面を形成するカバーを備え、上記吐水部は、上面視で上記カバーの上面の中央よりも前方に配置される。
このように構成された本発明においては、水栓装置に流路交差部が形成されることにより、薄型のカウンターにおいて、吐水部を、上面視でカバーの天板の中央よりも前方に配置することができる。よって、吐水部の下に配置される洗面器が水栓装置が設けられる壁面等と干渉することを抑制でき、さらに、使用者が吐水部からの吐水を受ける洗面器をカバーの天板の中央よりも前方側に配置することができ、使用者の吐水部の使い勝手を向上させることができる。
【発明の効果】
【００１６】
本発明の水栓装置によれば、壁面に沿って設けられるカウンター内部に配置される水栓装置を高さ方向で薄くすることができる。
【図面の簡単な説明】
【００１７】
【図１】本発明の一実施形態による水栓装置の斜視図である。
【図２】本発明の一実施形態による水栓装置の水栓装置本体の正面図である。
【図３】図２のＩＩＩ−ＩＩＩ線に沿って見た水栓装置の断面図である。
【図４】本発明の一実施形態による水栓装置の流路交差部の分解斜視図である。
【図５】図３のＶ−Ｖ線に沿って見た流路交差部の左右方向の断面図である。
【図６】図３のＶＩ−ＶＩ線に沿って見た流路交差部の前後方向の断面図である。
【図７】従来の水栓装置の水供給管、湯供給管及び流出路の配置を示す斜視図である。
【発明を実施するための形態】
【００１８】
まず、図１乃至図３を用いて、本発明の一実施形態による水栓装置を説明する。図１は本発明の一実施形態による水栓装置の斜視図であり、図２は本発明の一実施形態による水栓装置の水栓装置本体の正面図であり、図３は図２のＩＩＩ−ＩＩＩ線に沿って見た水栓装置の断面図である。
【００１９】
水栓装置１は、水回り設備、例えば浴室、キッチン、洗面台等の壁面Ｗに沿って設けられるカウンター内部に配置されるカウンター一体型の水栓装置である。水栓装置１は、外側を覆うカバー２と、カバー２内に内蔵される水栓装置本体４とを備える。カバー２は、横長の箱形に形成され、壁面Ｗに取付けられている。カバー２は、カウンターの上面２ａを形成し、この上面２ａは、平坦に形成され、物を置くことができるカウンターとして使用することができる。
以下、本発明の一実施形態における説明において、水栓装置１を使用する使用者側（水栓装置１を使用するために水栓装置１の前に存在する使用者側）から見て水栓装置１の手前側を前方側とし、水栓装置１の壁面Ｗ側を後方側とし、水栓装置１を前方から見て右側を右側とし、前方から見て左側を左側として説明している。
【００２０】
図２及び図３に示すように、水栓装置１の水栓装置本体４は、水道等の給水源から水を供給する給水路である水供給管６と、給湯源から湯を供給する給湯路である湯供給管８と、水供給管６と湯供給管８とに接続され、湯と水を混合できる機能を有する温調機能部１０と、温調機能部１０による温度調節操作を行う温調ハンドル１２と、温調機能部１０から流出する温調水である温度調節後の水を吐水する吐水部であるカラン吐水部１４と、カラン吐水部１４からの温度調節後の水の吐水と止水とを切り替える機能を有する吐止水制御部であるカラン用吐止水制御部１６と、カラン用吐止水制御部１６による吐水と止水の切り替え操作を行うカラン用タッチ操作部１７と、温調機能部１０から少なくともカラン用吐止水制御部１６まで延びる第１流路１８と、カラン用吐止水制御部１６からカラン吐水部１４まで延びる第２流路２０と、第１流路１８を流れる温度調節後の水の流量を調節する機能を有する流量調整部２２と、流量調整部２２による流量調節操作を行う流調ハンドル２４と、を備えている。
【００２１】
湯供給管８は、壁面Ｗから水栓装置本体４の背面に延び、水栓装置本体４の背面から内部まで延びている。水供給管６は、壁面Ｗから水栓装置本体４の背面に延び、水栓装置本体４の背面から内部まで延びている。
【００２２】
温調機能部１０は、湯供給管８から供給される湯と、水供給管６から供給される水とを所望の混合割合により混合する機能を有する。温調機能部１０は、温度調節後の水を流出口１０ａから第１流路１８に流出させる。温調機能部１０は、使用者が温調ハンドル１２を操作することにより、内部に配置された円筒状の温調主弁体１１が軸線方向（前後方向）に摺動され、湯と水との混合割合を調整する機能を有している。流出口１０ａは、温調機能部１０の左右の両方の側面に形成され、それぞれ第１流路１８と接続されている。用語「温度調節後の水」は、温調機能部１０で湯と水を混合して得られた水の他、温調機能部１０で温度調節されていない水供給管６から供給された水、及び温調機能部１０で温度調節されていない湯供給管８から供給された湯を含む。すなわち、用語「水」は湯水を含む。温調ハンドル１２は、温調機能部１０の前端に取付けられている。温調ハンドル１２は、温調ハンドル１２を回動操作することにより温調機能部１０の温調主弁体１１を軸線方向に摺動させ、温度調節後の水の温度を調整することができる構造を有している。
【００２３】
カラン吐水部１４は、水栓装置１の下面から下方に延び、下方に向けて開口する吐水口を形成している。カラン吐水部１４は、水を水栓装置１の下方に配置された洗面器や床面に向けて吐水する。
カラン用吐止水制御部１６は、その上流側を第１流路１８に接続し、その下流側を第２流路２０に接続する。カラン用吐止水制御部１６は、カラン用タッチ操作部１７の操作により第１流路１８から第２流路２０に至る流路の開閉を行うようになっている。なお、カラン用吐止水制御部１６は、流量調整部２２及び流調ハンドル２４を含むように形成されていてもよい。
【００２４】
流量調整部２２は、第１流路１８上において、カラン用吐止水制御部１６及びシャワー用吐止水制御部３０よりも上流側に配置されている。流量調整部２２は、使用者が流調ハンドル２４を回転操作することにより、回転弁２６が回転され、下流側に供給される水の流量を調節する機能を有する。流調ハンドル２４は、流調ハンドル２４を回動操作することにより流量調整部２２の流量調節操作を行うことができる構造を有している。
【００２５】
水栓装置本体４は、さらに、シャワーホース２８ａを介して接続されるシャワーヘッド２８と、シャワーヘッド２８からの温度調節後の水の吐水と止水とを切り替えるシャワー用吐止水制御部３０と、シャワー用吐止水制御部３０による吐水と止水の切り替え操作を行うシャワー用タッチ操作部３２と、オーバーヘッドシャワー（図示せず）からの温度調節後の水の吐水と止水とを切り替えるオーバーヘッドシャワー用吐止水制御部３３と、オーバーヘッドシャワー用吐止水制御部３３による吐水と止水の切り替え操作を行うオーバーヘッドシャワー操作部３４と、を備えている。
【００２６】
シャワー用吐止水制御部３０は、その上流側を第１流路１８に接続し、その下流側をシャワーホース２８ａに接続している。シャワー用吐止水制御部３０は、シャワー用タッチ操作部３２の操作により第１流路１８からシャワーホース２８ａに至る流路の開閉を行うようになっている。
【００２７】
水栓装置本体４は、さらに、温調機能部１０、第１流路１８、第２流路２０、流量調整部２２、カラン用吐止水制御部１６及びシャワー用吐止水制御部３０の上方側で水平に延びる上部プレート３６と、温調機能部１０、第１流路１８、第２流路２０、流量調整部２２、カラン用吐止水制御部１６及びシャワー用吐止水制御部３０の下方側で水平に延びる下部プレート３８とを備える。上部プレート３６及び下部プレート３８は金属板により形成されている。水栓装置本体４は、各機能部を、上部プレート３６と下部プレート３８との間で挟み込むように配置しているので、第１流路１８及び第２流路２０の高さ方向の流路の変化（例えば高低差）を抑制することにより、上部プレート３６と下部プレート３８との間の間隔Ｄ（図２参照）を低減し、水栓装置本体４の厚みＴ（図１参照）、例えばカウンターを形成するカバー２の上面２ａと下面２ｂとの間の厚みを高さ方向で薄くすることができる。
【００２８】
第１流路１８は、温調機能部１０から流量調整部２２及びカラン用吐止水制御部１６を通過して後述するシャワー用吐止水制御部３０まで延びている。また、第１流路１８は、温調機能部１０からオーバーヘッドシャワー用吐止水制御部３３にも延びている。第１流路１８は、温調機能部１０の流出口１０ａから横方向にほぼ水平に延びるように形成されている。第１流路１８は、ほぼ一定の高さに形成され、上部プレート３６と下部プレート３８との間において、ほぼ同一の高さに配置されている。第１流路１８は、温調機能部１０、流量調整部２２、カラン用吐止水制御部１６及びシャワー用吐止水制御部３０の間のそれぞれの部分において概ね円筒状の流路を形成している。
【００２９】
第２流路２０は、カラン用吐止水制御部１６から後述する流路交差部４０までほぼ水平に延び、ほぼ一定の高さに形成され、且つ、上部プレート３６と下部プレート３８との間においてほぼ同一の高さに配置されている。第２流路２０は、カラン用吐止水制御部１６から後述する流路交差部４０まで概ね円筒状の流路を形成している。このように、第１流路１８及び第２流路２０は、ほぼ同一の高さの平面上に配置され、互いを立体的に避けるように迂回して配置されないようになっている。
【００３０】
次に、図４乃至図６を参照して、流路交差部を説明する。
図４は本発明の一実施形態による水栓装置の流路交差部の分解斜視図であり、図５は図３のＶ−Ｖ線に沿って見た流路交差部の左右方向の断面図であり、図６は図３のＶＩ−ＶＩ線に沿って見た流路交差部の前後方向の断面図である。図５において、第１流路１８内を流れる水を矢印Ｆ１により示し、第２流路２０内を流れる水を矢印Ｆ２により示している。
【００３１】
第１流路１８及び第２流路２０は、ほぼ同一の高さに配置されているので、互いに交差するような高さに配置されている。第１流路１８と、第１流路１８が交差するような高さに配置されている第２流路２０とが、互いの内部流路を区別したまま交差する流路交差部４０を形成する。なお、第１流路１８及び第２流路２０は、それぞれの中心軸が交差せず且つ端部が交差する程度に高さ方向にずれて配置されていてもよい。
【００３２】
流路交差部４０は、温調機能部１０とカラン用吐止水制御部１６との間において、第１流路１８及び第２流路２０を迂回させずに効率的に配置することができ、流路の配置効率をより向上できる。流路交差部４０は、第１流路１８と、第２流路２０以外の流路とによる流路交差部であってもよい。
【００３３】
流路交差部４０は、自身の外側と区画された内側の第１流路１８を形成する第１部材４２を、内側に第２流路２０を形成する第２部材４４に、挿入することにより形成される。このように流路交差部４０は、第１流路１８を形成する第１部材４２を、第２部材４４の内側に配置した状態で形成され、第１流路１８を、第２流路２０の内側に区画して形成している。流路交差部４０は、第１部材４２と第２部材４４との接触部をシールする第１シール４６と第２シール４８との間において第１部材４２と第２部材４４とにより第２流路２０を区画し、第１部材４２内の第１流路１８と区別する。
【００３４】
第１部材４２は、円筒状の部材である。第１部材４２は、少なくとも第２流路２０を外側に区画する中間部４２ａにおいて円管状に形成される。第１部材４２は、第２部材４４に先に挿入される先端側において第１シール４６を支持する第１シール支持部５０と、第１シール支持部５０よりも後に挿入される後端側において第２シール４８を支持する第２シール支持部５２とを備え、第１シール支持部５０の外径Ｄ１は、第２シール支持部５２の外径Ｄ２よりも小さくなるように形成される。中間部４２ａは、第１シール支持部５０の外径Ｄ１よりも小さな外径Ｄ３を有するように内側に凹んで形成される。第１部材４２は、樹脂により形成される。なお、第１部材４２は、鋳物により成形されてもよい。
【００３５】
第２部材４４は、内部において円柱状の第２流路２０を横方向及び下方向にそれぞれ形成することにより屈曲流路部材を形成する。さらに、第２部材４４は、第１部材４２を挿入可能な円柱状の内部空間４４ａを、第２流路２０と交差するように形成している。第２部材４４は、樹脂により形成される。第２部材４４は、鋳物により成形されてもよい。第２部材４４は、横方向に延びる横流路２０ａと、第１部材４２の中間部４２ａの外側且つ第２部材４４の内側に形成される環状流路２０ｂと、下方向に延びる縦流路２０ｃとを備えている。流路交差部４０は、第２部材４４の横流路２０ａから環状流路２０ｂを通って縦流路２０ｃに曲がる第２流路２０の９０度の屈曲部を形成する。
【００３６】
図３に示すように、流路交差部４０は、温調機能部１０とカラン用吐止水制御部１６との間に配置される。よって、薄型のカウンターにおいて、カラン吐水部１４（図２参照）が、上面視で温調機能部１０とカラン用吐止水制御部１６との間に配置されることができる。温調機能部１０は、温度調節後の水を第１流路１８を介して他の制御部等に供給するため、水栓装置本体４の中央領域に設けられている。流路交差部４０が設けられることにより、カラン吐水部１４も水栓装置本体４の中央領域又は中央領域に比較的近い領域に設けることができる。また、流路交差部４０が上面視でカバー２の上面２ａの前後方向の中央線Ｃ（図１及び図３参照）よりも前方に配置される。よって、薄型のカウンターにおいて、カラン吐水部１４が、上面視でこの中央線Ｃよりも前方に配置されることができる。
【００３７】
次に、図４乃至図６を参照して、流路交差部４０を形成する方法を説明する。
先ず、第１部材４２、第２部材４４、第１シール４６及び第２シール４８を準備する。
次に、第１部材４２の第１シール支持部５０に第１シール４６を取り付けた状態とする。さらに、第１部材４２の第２シール支持部５２に第２シール４８を取り付けた状態とする。
【００３８】
次に、第１部材４２を第２部材４４の内部空間４４ａに挿入する。このとき、第１部材４２の第１シール支持部５０側（先端部側）を先に挿入する。第２部材４４の内部空間４４ａの後端側部分４４ｃの内径は先端側部分４４ｂの内径よりも大きいので、第１シール４６が後端側部分４４ｃと破損やねじれを生じるような意図しない接触をして、第１シール４６が破損やねじれを生じにくくなっている。さらに、第１シール支持部５０の外径Ｄ１は、第２シール支持部５２の外径Ｄ２よりも小さいので、第１シール４６が先端側部分４４ｂと破損やねじれを生じるような意図しない接触をして、第１シール４６が破損やねじれを生じにくくなっている。
次に、第１部材４２の第２シール支持部５２側（後端部側）を挿入する。内部空間４４ａの後端側部分４４ｃの内径は先端側部分４４ｂの内径よりも大きいので、第２シール４８についても後端側部分４４ｃと破損やねじれを生じるような意図しない接触をして、第２シール４８が破損やねじれを生じにくくなっている。
【００３９】
このように、第１部材４２を第２部材４４に挿入することにより、比較的簡単な方法で且つ確実に２つの流路が交差する流路交差部４０を形成することができる。また、流路交差部４０を樹脂により形成する場合には、鋳物で成形することにより厚みが増大することを防ぎ、流路交差部４０の厚みを薄く形成することができ、流路交差部４０を小型化することができる。
【００４０】
本実施形態においては、図６に示すように、流路交差部４０は、第２部材４４の内部空間４４ａのほぼ中央に、第１部材４２を配置することにより形成されている。変形例として、流路交差部４０は、第２部材４４の内部空間４４ａの上部に、第１部材４２を配置することにより形成されてもよい。流路交差部４０の上部側に第１部材４２の内側の第１流路１８が形成され、流路交差部４０の下部側に第２部材４４内の第２流路２０が形成される。例えば、流路交差部４０は、第１部材４２が第２部材４４の上部側にずれて配置され、第１部材４２が第２部材４４の上部の凹形状の凹み部分を通過するような、一部分が交差するような配置形態も含む。逆に、例えば、流路交差部４０の下部側に第１部材４２の内側の第１流路１８が形成され、流路交差部４０の上部側に第２部材４４内の第２流路２０が形成されていてもよい。
【００４１】
上述した本発明の一実施形態の水栓装置１によれば、壁面Ｗに沿って設けられるカウンター内部に配置される水栓装置１の流路交差部４０において、第１流路１８と、第１流路１８が交差するような高さに配置されている第２流路２０とが、互いの内部流路を区別したまま交差することができる。これにより、第１流路１８及び第２流路２０の何れかが高さを変えて互いに交差するために必要となる水栓装置１内の高さ方向のスペースを削減することができる。従って、本発明によれば、壁面Ｗに沿って設けられるカウンター内部に配置される水栓装置１を高さ方向で薄くすることができると共にカウンターを高さ方向で薄くすることができる。
【００４２】
また、本発明の一実施形態の水栓装置１によれば、流路交差部４０は、自身の外側と区画された内側の第１流路１８を形成する第１部材４２を、第２流路２０を形成する第２部材４４に挿入することにより形成される。よって、流路交差部４０を、鋳物で成形することにより厚みが増大することを防ぎ、樹脂で成形することにより厚みを薄く形成することができる。従って、本発明によれば、カウンター内部に配置される水栓装置１を高さ方向で薄くすることができる。また、流路交差部４０を樹脂により比較的簡単に形成することができる。
【００４３】
さらに、本発明の一実施形態の水栓装置１によれば、流路交差部４０は、第１部材４２と第２部材４４との接触部をシールする第１シール４６と第２シール４８との間において第１部材４２と第２部材４４とにより第２流路２０を区画し、第１部材４２内の第１流路１８と区別する。これにより、流路交差部４０を第１部材４２と第２部材４４との組合せにより比較的簡単に形成し、流路交差部４０において第１流路１８が、第１流路１８が交差するような高さに配置されている第２流路２０と、互いの内部流路を区別したまま交差することができる。
【００４４】
さらに、本発明の一実施形態の水栓装置１によれば、第１部材４２の先に挿入される先端側の第１シール支持部５０は、後端側の第２シール支持部よりも外径が小さくなるように形成されているので、第１シール４６及び第２シール４８を伴った状態で第１部材４２を第２部材４４に挿入する組立時の組立性を向上することができる。また、第１シール４６を支持する第１シール支持部５０は、第２シール支持部５２よりも外径が小さくなるように形成される。これにより、第１シール支持部５０により支持される第１シール４６が第２部材４４内に挿入される際に、第１シール４６が第２部材４４と破損やねじれを生じるような意図しない接触をして、第１シール４６が破損やねじれを生じ、第１シール４６が適切な状態で設置されなくなることを抑制することができる。
【００４５】
さらに、本発明の一実施形態の水栓装置１によれば、第１部材４２は、少なくとも第２流路２０を外側に区画する部分において円管状に形成される。これにより、第１部材４２内の第１流路１８の温調水と、カラン用吐止水制御部１６の下流側の第２流路２０の温調水との圧力差により、第１部材４２に応力がかかる場合においても、第１部材４２に比較的均等に応力がかかり、第１部材４２が破損することを抑制することができる。このように、第１部材４２を円管状に形成することにより、仮に第１部材４２が角を有する異形配管に形成される場合にこの角に応力が集中して第１部材４２が破損するという事象が生じることを防ぐことができる。
【００４６】
さらに、本発明の一実施形態の水栓装置１によれば、第１部材４２が、樹脂により形成されることにより、水栓装置１をより安価に製造することができる。
【００４７】
さらに、本発明の一実施形態の水栓装置１によれば、仮に流路交差部４０において第１流路１８と第２流路２０との交差部分が破損したとしても、水は一次側流路である第１流路１８から第２流路２０を介して吐水部に流れる。よって、流路交差部４０における交差部分が破損した場合に、水が止水不良として吐水部から流出されることができ、水が漏水として第２流路２０以外の水栓装置１内に流出されることを抑制することができる。
【００４８】
さらに、本発明の一実施形態の水栓装置１によれば、流路交差部４０が第２流路２０の屈曲部を形成することができるので、流路交差部４０とは別に流路を横方向から下方向に曲げる曲がり配管を設ける必要をなくすことができる。よって、流路交差部４０を通過する水の圧力損失に加えて別途曲がり配管の圧力損失を受ける場合に比べて、流路交差部４０において第２流路２０が屈曲でき、第２流路２０の圧力損失を低減することができる。
【００４９】
さらに、本発明の一実施形態の水栓装置１によれば、水栓装置１に流路交差部４０が形成されることにより、薄型のカウンターにおいて、カラン吐水部１４を、上面視で温調機能部１０とカラン用吐止水制御部１６との間に配置することができる。よって、カラン吐水部１４を、温調機能部１０とカラン用吐止水制御部１６との間の水栓装置１の比較的中央の領域に設けることができ、使用者が洗面器を左右の壁面や浴槽等の構造物に干渉しない状態でカラン吐水部１４の下に配置しやすくすることができ、使用者のカラン吐水部１４の使い勝手を向上させることができる。
【００５０】
さらに、本発明の一実施形態の水栓装置１によれば、水栓装置１に流路交差部４０が形成されることにより、薄型のカウンターにおいて、カラン吐水部１４を、上面視でカバー２の天板の中央の中央線Ｃよりも前方に配置することができる。よって、カラン吐水部１４の下に配置される洗面器が水栓装置１が設けられる壁面Ｗ等と干渉することを抑制でき、さらに、使用者がカラン吐水部１４からの吐水を受ける洗面器をカバー２の天板の中央よりも前方側に配置することができ、使用者のカラン吐水部１４の使い勝手を向上させることができる。
【符号の説明】
【００５１】
１        水栓装置
２        カバー
２ａ      上面
２ｂ      下面
４        水栓装置本体
６        水供給管
８        湯供給管
１０      温調機能部
１０ａ    流出口
１１      温調主弁体
１２      温調ハンドル
１４      カラン吐水部
１６      カラン用吐止水制御部
１７      カラン用タッチ操作部
１８      第１流路
２０      第２流路
２０ａ    横流路
２０ｂ    環状流路
２０ｃ    縦流路
２２      流量調整部
２４      流調ハンドル
２６      回転弁
２８      シャワーヘッド
２８ａ    シャワーホース
３０      シャワー用吐止水制御部
３２      シャワー用タッチ操作部
３３      オーバーヘッドシャワー用吐止水制御部
３４      オーバーヘッドシャワー操作部
３６      上部プレート
３８      下部プレート
４０      流路交差部
４２      第１部材
４２ａ    中間部
４４      第２部材
４４ａ    内部空間
４４ｂ    先端側部分
４４ｃ    後端側部分
４６      第１シール
４８      第２シール
５０      第１シール支持部
５２      第２シール支持部
１０１    水栓装置
１０６    水供給管
１０８    湯供給管
１１０    温調機能部
１１４    第１流路
１１６    流量調整部
１２６    カラン用タッチ操作部
１２８    シャワー用タッチ操作部
１３０    カラン吐水部
１３２    第２流路
Ｃ        中央線
Ｄ        間隔
Ｄ１      外径
Ｄ２      外径
Ｄ３      外径
Ｆ１      矢印
Ｆ２      矢印
Ｗ        壁面
【図１】
2019148061.tif 000003
【図２】
2019148061.tif 000004
【図３】
2019148061.tif 000005
【図４】
2019148061.tif 000006
【図５】
2019148061.tif 000007
【図６】
2019148061.tif 000008
【図７】
2019148061.tif 000009